(57)【要約】【課題】ユーザに分かりやすい操作で、カメラ側で撮影後のＲＡＷデータの現像処理を可能にする。【解決手段】撮影した被写体像を画像データとして記録媒体に記録するデジタルカメラにおいて、カメラの撮像モードを設定するモード設定ダイヤル１１３により、ＲＡＷデータを現像する現像パラメータを設定できるようにし、その設定された現像パラメータを用いてカメラ側でＲＡＷデータの現像処理を行なう。【選択図】      図１
2006166250.tif 000002
【特許請求の範囲】
【請求項１】
被写体像を撮像する撮像手段と、
前記撮像手段により撮像された画像のＲＡＷデータを記録媒体に記録する記録手段と、
前記撮像手段の撮像モードを設定する撮像モード設定ダイヤルであって、該撮像モード設定ダイヤルの各ダイヤル位置に、前記ＲＡＷデータを画像処理するための画像処理パラメータが登録されている撮像モード設定ダイヤルと、
前記記録媒体に記録されたＲＡＷデータを読み出して、前記撮像モード設定ダイヤルにより選択された画像処理パラメータを用いて画像処理することで可視可能な画像データを生成する画像処理手段と、
を具備することを特徴とする撮像装置。
【請求項２】
前記撮像モード設定ダイヤルの少なくとも１つのダイヤル位置には、ユーザが指定した画像処理パラメータを登録可能であることを特徴とする請求項１に記載の撮像装置。
【請求項３】
外部のプリント出力装置と接続する接続手段と、前記画像処理手段によって生成される画像データを前記プリント出力装置に出力する出力手段とをさらに具備することを特徴とする請求項１に記載の撮像装置。
【請求項４】
撮像装置において、該撮像装置で撮像した画像のＲＡＷデータを処理する方法であって、
撮像された画像のＲＡＷデータを記録媒体に記録する記録工程と、
前記撮像装置の撮像モードを設定する撮像モード設定ダイヤルにより、前記記録媒体に記録されたＲＡＷデータを画像処理するための画像処理パラメータを設定する設定工程と、
前記記録媒体に記録されたＲＡＷデータを読み出して、前記設定工程において設定された画像処理パラメータを用いて画像処理することで可視可能な画像データを生成する画像処理工程と、
を具備することを特徴とするＲＡＷデータ処理方法。
【請求項５】
前記撮像モード設定ダイヤルの各ダイヤル位置には、前記画像処理パラメータが予め登録されていることを特徴とする請求項４に記載のＲＡＷデータ処理方法。
【請求項６】
前記撮像モード設定ダイヤルの少なくとも１つのダイヤル位置には、ユーザが指定した画像処理パラメータを登録可能であることを特徴とする請求項５に記載のＲＡＷデータ処理方法。
【発明の詳細な説明】
【技術分野】
【０００１】
本発明は、既に撮影されたＲＡＷフォーマットの画像データに対して、カメラ側で現像処理を行なう技術に関するものである。
【背景技術】
【０００２】
従来のデジタルカメラには、撮影前にカラー撮影／白黒撮影の設定を選択できるものがある。さらに、撮影後の画像データに対して信号処理を施すことで、例えば、画像の色調を整えたり、コントラストを変化させたり、またはカラー画像をカメラ側で白黒画像に変換して再生表示したり又はプリント出力を行なうことが可能なシステムも提案されている。このため、ユーザは撮影画像をカメラ側で任意の色調に仕上げた効果や、白黒画像に変換した効果を場所や時間を選ばずに確認できる。また、これらの機能を使うことで、カメラから直接プリント出力する際のデータが、カラー画像か又は白黒画像かの確認ができ、ユーザにとって利便性が向上する（特許文献１参照）。
【０００３】
しかし、特許文献１における「画像データ」とは、ＲＡＷデータではなく、既に現像された画像データを指している。前述の画像処理機能は、現像した画像データに対してのみ有効である。
【特許文献１】特開２０００−３５０２３４号公報
【特許文献２】特開２００４−３０４７１２号公報
【発明の開示】
【発明が解決しようとする課題】
【０００４】
現在、現像処理を行なっていないＲＡＷデータから、カメラ単体でホワイトバランスなどの現像パラメータを設定して現像処理を行なう機能は実現されていない。このため、デジタルカメラで撮影したＲＡＷデータを現像処理するためには、一度パーソナルコンピュータなどの画像処理装置にデータを転送してから、専用のアプリケーションを使用して現像処理を行なわなければならない。従って、ユーザがＲＡＷデータを現像してプリント出力したい場合や、ホワイトバランスの効果などを確認するために、既に撮影したＲＡＷデータから現像処理を経た画像をチェックしたい場合は、カメラ単体では現像を行なうことができず不便である。
【０００５】
また、仮にこれらが実現されたとしても、現像パラメータを設定する際に、ＧＵＩ（グラフィックユーザインターフェイス）やパラメータの入力手段がカメラにおいては限られているため、その都度、現像パラメータを直接入力するのは煩雑であり、カメラの操作性は著しく低下する。
【０００６】
従って、本発明は上述した課題に鑑みてなされたものであり、その目的は、ユーザに分かりやすい操作で、カメラ側で撮影後のＲＡＷデータの現像処理を可能にすることである。
【課題を解決するための手段】
【０００７】
上述した課題を解決し、目的を達成するために、本発明に係わる撮像装置は、被写体像を撮像する撮像手段と、前記撮像手段により撮像された画像のＲＡＷデータを記録媒体に記録する記録手段と、前記撮像手段の撮像モードを設定する撮像モード設定ダイヤルであって、該撮像モード設定ダイヤルの各ダイヤル位置に、前記ＲＡＷデータを画像処理するための画像処理パラメータが登録されている撮像モード設定ダイヤルと、前記記録媒体に記録されたＲＡＷデータを読み出して、前記撮像モード設定ダイヤルにより選択された画像処理パラメータを用いて画像処理することで可視可能な画像データを生成する画像処理手段と、を具備することを特徴とする。
【０００８】
また、本発明に係わるＲＡＷデータ処理方法は、撮像装置において、該撮像装置で撮像した画像のＲＡＷデータを処理する方法であって、撮像された画像のＲＡＷデータを記録媒体に記録する記録工程と、前記撮像装置の撮像モードを設定する撮像モード設定ダイヤルにより、前記記録媒体に記録されたＲＡＷデータを画像処理するための画像処理パラメータを設定する設定工程と、前記記録媒体に記録されたＲＡＷデータを読み出して、前記設定工程において設定された画像処理パラメータを用いて画像処理することで可視可能な画像データを生成する画像処理工程と、を具備することを特徴とする。
【発明の効果】
【０００９】
本発明によれば、ユーザに分かりやすい操作で、撮像装置側で撮影後のＲＡＷデータから可視可能な画像データを生成する画像処理が可能となる。
【発明を実施するための最良の形態】
【００１０】
以下、本発明の好適な一実施形態について、図面を参照して詳細に説明する。
【００１１】
図１は、本発明のデジタルカメラの一実施形態の概略構成を示す図である。
【００１２】
本実施形態のデジタルカメラは、レンズ交換が可能な一眼レフタイプのカメラである。図１において、１はカメラ本体、２は交換レンズ、３はフラッシュ発光装置を示している。
【００１３】
カメラ本体１には、撮影時に撮影モードを選択できるモード選択ダイヤル１１３、各種設定ボタン類（ファンクションボタン）１１７、撮影した画像を確認するための表示器１１１、シャッターレリーズボタン１１４、光学ファインダー１１８などが配置されている。
【００１４】
図２は、本実施形態のカメラ本体１、それに装着するための交換レンズ２、およびフラッシュ装置３の電気回路構成と信号処理の流れを模式的に示したブロック図である。
【００１５】
カメラ本体１において、１０９はその内部にＡＬＵ、ＲＯＭ、ＲＡＭ、ＡＤコンバータ、汎用Ｉ／Ｏポート、シリアル通信ポート（ＳＰＩ）等を内蔵したワンチップマイクロコンピュータによる制御装置（以下カメラ制御マイコンと呼ぶ）であり、カメラ全般の動作を統括する。
【００１６】
焦点検出センサー（ＡＦセンサー）１０１および測光用センサー（ＡＥセンサー）１００は、被写体の焦点と輝度を測定するためのセンサーである。焦点検出センサー１０１および測光センサー１００の出力信号は、ワンチップマイクロコンピュータ１０９のＡ／Ｄコンバータ入力端子に接続され、デジタルデータとしてマイコン内で処理される。
【００１７】
１０３はシャッター駆動装置であり、カメラ制御用マイコン１０９からの指令に基づいてシャッター１０２を動作させる。１０５は、カメラ制御マイコン１０９と同様に内部にＡＬＵ、ＲＡＭ、Ａ／Ｄコンバータ、Ｄ／Ａコンバータ、汎用Ｉ／Ｏポート、シリアル通信ポート（ＳＰＩ）等を内蔵した画像処理専用のワンチップマイクロコンピュータである（以下、画像処理マイコンと呼ぶ）。画像処理マイコン１０５はカメラ制御マイコン１０９からの命令に従って、撮像素子１０４を制御しながら、撮像素子１０４が出力する撮像信号をＡ／Ｄ変換する。変換後のデータはデジタル値としてメモリ１０６にバッファリングされる。
【００１８】
メモリ１０６に一時記録されたデータをそのままの状態で外部記録媒体１０７に保存したものが、ＲＡＷデータである。他方、メモリ１０６にバッファリングされたデータに対し、各種の補正／補間処理、色変換処理、ゲイン調整処理、画像圧縮／伸張処理など画像処理を行い可視可能な画像データを生成する処理を現像処理という。この現像処理を画像処理マイコン１０５で行なって生成された可視可能な画像データも画像記録媒体１０７に保存される。この際、現像に使用されたパラメータを撮影シーンに応じて一度にまとめて選択設定する入力機器が、モード設定ダイヤル１１３である。
【００１９】
撮像データのバッファリングを行なうメモリ１０６はＳＤＲＡＭに代表される高速アクセス可能な揮発性メモリである。１０７はＮＡＮＤ型フラッシュＲＯＭや小型ハードディスクドライブに代表される小型で大容量の外部記録媒体であり、前述のＲＡＷデータや現像後の画像データを記録する目的に使用される。外部記録媒体１０７はカメラ本体１から着脱可能で、ＰＣなどの他のデバイスに撮影データを移すことができる。
【００２０】
１１０は第１のモータードライバであり、カメラ制御マイコン１０９の出力端子により制御されて第１のモーター１１６を駆動してミラーのアップ・ダウンを行う。
【００２１】
１１１は液晶パネル等で構成され、撮影枚数や日付情報、露出情報等、撮影画像等を表示する多目的な機能を持つ表示器である。１１３は撮影モード設定ダイヤル、１１４はレリーズスイッチである。１１２はプリント出力機器と直接接続するための専用シリアルポートである。
【００２２】
１１５は図１に示したレンズ２との接点部であり、カメラ制御マイコン１０９のシリアル通信ポート信号が入出力される。１０８は図１に示したフラッシュ装置３との接続部であり、フラッシュ装置３と通信を行なうために、カメラ制御マイコン１０９のシリアル通信ポートの入出力信号が接続される。
【００２３】
交換レンズ２において、２０４は例えば内部にＡＬＵ、ＲＯＭ、ＲＡＭやタイマー、シリアル通信ポート等を内蔵したワンチップマイクロコンピュータによるレンズ制御用ワンチップマイクロコンピュータである（以下、レンズ制御マイコンと呼ぶ）。２０１は第２のモータードライバでありレンズ制御マイコン２０４の出力端子に接続されて制御され、焦点調節を行うための第２のモーター２０７を駆動する。
【００２４】
２０２は第３のモータードライバでありレンズ制御マイコン２０４の出力端子に接続されて制御され、絞りの制御を行うための第３のモーター２０８を駆動する。２０５は焦点調節レンズの繰り出し量すなわち被写体距離に関する情報を得るための距離エンコーダーであり、出力信号はレンズ制御マイコン２０４に入力される。２０６は交換レンズ２がズームレンズである場合に撮影時の焦点距離情報を得るためのズームエンコーダーであり、レンズ制御マイコン２０４の入力端子に接続される。２０３はカメラ本体１との接点部であり、レンズ制御マイコン２０４のシリアル通信ポートの入出力信号が接続される。
【００２５】
交換レンズ２がカメラ本体１に装着されるとそれぞれの接点部１１５と２０３とが接続されてレンズ制御マイコン２０４はカメラ本体１のカメラ制御マイコン１０９とのデータ通信が可能となる。カメラ本体１のカメラ制御用マイコン１０９が焦点検出や露出演算を行うために必要なレンズ固有の光学的な情報や、距離エンコーダー２０５、或いはズームエンコーダー２０６からの被写体距離に関する情報、焦点距離情報を相互にデータ通信する。また、カメラ制御マイコン１０９が焦点検出や露出演算を行った結果求められた焦点調節値や絞り情報は、カメラ制御マイコン１０９からレンズ制御マイコン２０４へと出力され、それを基にレンズ制御マイコン２０４は、焦点調節情報に従って第２のモータードライバ２０１、絞り情報に従って第３のモータードライバ２０２を制御する。
【００２６】
フラッシュ装置３において３０３はカメラ制御マイコン１０９と同様に、例えば内部にＡＬＵ、ＲＯＭ、ＲＡＭやＡ／Ｄコンバータ、タイマー、シリアル通信ポート等を内蔵したワンチップマイクロコンピュータ（以下、フラッシュ制御マイコンと呼ぶ）であり、３０１は発光部３００の発光に必要な数百Ｖ程度の高圧電圧を作る昇圧部である。発光部３００は被写体を照明する発光を行ない、モニターセンサー３０２は発光部３００の発光量をモニターする。フラッシュ装置３がカメラ本体１に装着されるとそれぞれの接続部３０４と１０８が接続され、フラッシュ制御マイコン３０３はカメラ制御マイコン１０９とのデータ通信が可能となる。フラッシュ制御マイコン３０３はカメラ本体１のカメラ制御マイコン１０９からの通信内容に従って昇圧部３０１を制御し、発光部３００の発光開始や発光停止を行うとともに、モニターセンサー３０２の検出量をカメラ本体の制御用マイコン１０９に対して出力する。
【００２７】
次に図３のフローチャートにしたがって、本実施形態にかかるカメラ本体１の制御方法と動作シーケンスについて説明する。
【００２８】
図３において、デジタルカメラでは、外部記録媒体１０７内にすでに撮影されたＲＡＷデータが１つ以上格納されていることを前提とする。また、非撮影時ですでに撮影済みのＲＡＷデータから現像処理を行なった後に、プリント出力する際は、プリント出力接続端子１１２に、プリント出力機器からの接続ケーブルのコネクタ４０１を接続しておく。
【００２９】
ファンクションボタン１１７等を操作して、外部記録媒体１０７内に保管されている撮影済の画像データの中から、現像したいＲＡＷデータを選択する（ステップＳ１）。この状態ではデジタルカメラはＲＡＷデータの現像動作モードとなっている。ＲＡＷデータを選択する際には、表示器１１１にサムネイル画像を表示させ、その中から画像を選ぶことも可能である。このとき表示されるサムネイル画像は、ＲＡＷデータを適当なパラメータで現像したデータを用いてもよいし、撮影と同時に現像処理を行いＲＡＷデータとともに外部記録媒体１０７に記録されていたデータを使用してもよい。また、現像処理を行なう画像は、１枚または複数枚を一度に選択できるようにしてもよい。このようにして選択されたＲＡＷデータは画像処理マイコン１０５を経て、作業用のメモリ１０６上に展開される。
【００３０】
次に現像処理を行なう前の現像パラメータ設定を行なう。
【００３１】
図４はカメラのモード設定ダイヤル１１３の一例を示し、ダイヤル表面には１２個のシンボルと文字が印刷されている。通常撮影時には、このダイヤルを回転させて、撮影シーンに応じたシンボルや文字を指標にあわせる。この状態で撮影を行なうと、シーンに最適な露出制御が行なわれ、同時現像処理用のパラメータも設定される。
【００３２】
本実施形態では、すでに撮影済みのＲＡＷデータに対して現像を行なうときにも、現像パラメータの選択に、このモード設定ダイヤル１１３の使用を考慮している。モード設定ダイヤル１１３の各モードには、現像の際に使用する現像パラメータを保持している。デジタルカメラが撮影動作モードではなく、ＲＡＷデータの現像動作モードとなっている場合には、モード設定ダイヤル１１３は撮影モードの選択手段としてではなく、現像パラメータの選択手段として機能することとなる。
【００３３】
ここで、現像パラメータとは、ＲＡＷデータを現像処理するために必要なホワイトバランス値、画像補正用のデータ（明るさ、コントラスト比、色相、圧縮・伸張サイズなど）のパラメータの一部、或いはすべてを指している。
【００３４】
例えば、図４（ａ）は、ポートレートに適した現像パラメータ設定を選択した状態を表している。例えば、人肌をきれいに見せるために、柔らかな色合いでコントラストの低い、ソフトな画像に仕上がるように現像パラメータが定されている。
【００３５】
図４（ｂ）では、風景写真に適したパラメータ設定を選択した状態を表している。例えば、風景写真に適したコントラストの高い、鮮やかな画像に仕上がるように現像処理パラメータが設定されている。
【００３６】
図４（ｃ）はユーザ設定モードを選択した状態を表している。ユーザ独自のパラメータを予めこのモードに登録しておけば、前述のモードと同様にユーザ独自の現像処理パラメータを簡単に呼び出すことができる。
【００３７】
また、モード設定ダイヤルはシンボルや文字で表記されているため、ユーザは現像後の画像イメージを把握しやすいというメリットもある。
【００３８】
ダイヤルを回転させて、パラメータを設定し（ステップＳ２）、現像処理を開始すると、まず最初に、メモリ１０６に展開された画像データが画像処理マイコン１０５上に転送され、現像処理を行なう。現像後のデータはメモリ１０６上に一時保管され、表示器１１１に表示される。ユーザは目的の画像イメージに現像されているかどうかをここで確認する。
【００３９】
もし、目的の画像イメージと異なる仕上がりになっていたり、異なる現像パラメータで現像した画像イメージと比較検討したい場合は、ここでモード設定ダイヤルを再設定して現像処理をやり直すことができる（ステップＳ３）。
【００４０】
現像処理した画像データをプリント出力装置に転送してプリント出力するか、もしくは画像データとして外部記録媒体１０７に保存するかどうかを選択する（ステップＳ４）。プリント出力する場合は、カメラ本体のプリント出力ポート１１２にプリント装置からのコネクタ４０１を接続する。ファイル保存を選択した場合は、ステップＳ７へ進む。
【００４１】
現像処理した画像データをプリント出力する場合、画像の出力解像度、サイズ、印刷品質、枚数などの印刷パラメータ設定を行った後、プリント出力する。このとき、これらの印刷設定は、カメラ側から指定することができる。具体的には、ファンクションボタン１１７を操作して、表示器１１１にメニューを表示させ、そのメニュー上で所望の印刷パラメータ設定を行なう（ステップＳ５）。
【００４２】
その後、印刷データを保存しない場合は終了する（ステップＳ６：保存しない）。保存する場合はステップＳ７に進む。
【００４３】
現像処理した画像データとして外部記録媒体１０７に出力する場合は、予め、出力解像度、圧縮率、保存フォーマットなどをファンクションボタン１１７と表示器１１１に表示されるメニューにより設定しておく。その後、メモリ１０６上にある画像データを再度画像処理マイコン１０５に転送し、再処理を行なう。再処理されて所望のフォーマットに変換されたデータは外部記録媒体１０７に保存される（ステップＳ７）。
【００４４】
以上説明したように、上記の実施形態によれば、撮影後、パーソナルコンピュータなどの画像処理装置にＲＡＷデータファイルを転送し、現像処理を行なうことなく、時と場所を選ばずにＲＡＷデータを現像処理することができる。その上、カメラをプリント装置と直接接続すれば、カメラ単体でＲＡＷデータからプリント出力することも可能になり、今まで入門レベルのユーザには扱いにくかったＲＡＷデータの現像処理、あるいはプリント出力の操作をより簡単な形で提供することができる。
【００４５】
さらに、ＲＡＷデータから現像処理を行なうため、現像後の圧縮データから画像補正を繰り返す方法と比較して、データの劣化が少なく高品位な画像を得ることができる。さらに前述した現像データをカメラから直接プリント出力したり、あるいは現像後の画像を記録媒体に保存することも可能になる。
【００４６】
また、現像パラメータの設定にモード設定ダイヤルを使用することで、初心者でも煩雑なパラメータ設定に手間取ることは避けられる。また、ダイヤルの表示されているアイコン（シンボル）から現像後の画像イメージを視覚的に把握しやすい。
【００４７】
また、モード設定ダイヤルのひとつ、或いは複数のアイコン（シンボル）に対して、ユーザが任意の現像パラメータを設定しておくことで、カスタム設定も可能である。こうすることで、現像パラメータの調整、仕上がり具合を撮影現場で素早く確認できるため、ユーザの利便性が向上する。
【図面の簡単な説明】
【００４８】
【図１】本発明のデジタルカメラの一実施形態の概略構成を示す図である。
【図２】カメラ本体と交換レンズとフラッシュ装置のシステム構成を示したブロック図である。
【図３】ＲＡＷ画像現像処理動作と出力先を選択する動作を示すフローチャートである。
【図４】モードダイヤルの設定例を示す図である。
【符号の説明】
【００４９】
１  カメラ本体
２  交換レンズ
３  フラッシュ装置
１００  測光用センサー
１０１  焦点検出用センサー
１０２  シャッター
１０４  撮像素子
１０５  画像信号処理用ワンチップマイクロコンピュータ
１０６  メモリ
１０７  外部記録媒体
１０９  カメラ制御用ワンチップマイクロコンピュータ
１１２  プリント装置接続コネクタ
１１３  モード設定ダイヤル
１１７  ファンクションボタン
【図１】
2006166250.tif 000003
【図２】
2006166250.tif 000004
【図３】
2006166250.tif 000005
【図４】
2006166250.tif 000006